(57)【特許請求の範囲】
【請求項１】
マトリックス状に配列された複数の画素からなるとともに複数のブロックに分割される表示部に入力される画像信号に応じて画像を表示するプラズマディスプレイ装置であって、
入力される画像信号の１フィールドを複数のサブフィールドに分割し、前記サブフィールドごとに選択された画素を駆動して階調表示を行うために、１フィールドの画像信号をサブフィールドごとのサブフィールド画像信号に変換するサブフィールド変換手段と、
前記表示部内の選択されたアドレス電極を駆動する駆動手段と、
前記サブフィールド画像信号から前記駆動手段の温度に対応する温度推定値を前記ブロックごとに推定する温度推定手段と、
前記温度推定値に応じて前記サブフィールド変換手段に入力される画像信号を前記駆動手段の温度上昇を抑制する画像信号に変換する画像信号変換手段とを備え、
前記駆動手段は、前記サブフィールド変換手段により変換されたサブフィールド画像信号に応じて前記表示部内の選択されたアドレス電極を駆動することを特徴とするプラズマディスプレイ装置。
【請求項２】
マトリックス状に配列された複数の画素からなるとともに複数のブロックに分割される表示部に入力される画像信号に応じて画像を表示するプラズマディスプレイ装置であって、
入力される画像信号の１フィールドを複数のサブフィールドに分割し、前記サブフィールドごとに選択された画素を駆動して階調表示を行うために、１フィールドの画像信号をサブフィールドごとのサブフィールド画像信号に変換するサブフィールド変換手段と、
前記表示部内の選択されたアドレス電極を駆動する駆動手段と、
前記サブフィールド画像信号から前記駆動手段の温度に対応する温度推定値を前記ブロックごとに推定する温度推定手段と、
前記温度推定値に応じて前記サブフィールド変換手段により変換されたサブフィールド画像信号を前記駆動手段の温度上昇を抑制するサブフィールド画像信号に変換する画像信号変換手段とを備え、
前記駆動手段は、前記画像信号変換手段により変換されたサブフィールド画像信号に応じて前記表示部内の選択されたアドレス電極を駆動することを特徴とするプラズマディスプレイ装置。
【請求項３】
前記温度推定手段は、前記表示部の画素間で前記サブフィールド画像信号の各データを論理演算し、演算結果の総和を基に前記温度推定値を求めることを特徴とする請求項１または２記載のプラズマディスプレイ装置。
【請求項４】
前記温度推定手段は、前記演算結果の総和をフィールドごとに積分するとともに、積分した値から前記駆動手段の放熱量を減算して前記温度推定値を求めることを特徴とする請求項３記載のプラズマディスプレイ装置。
【請求項５】
マトリックス状に配列された複数の画素からなるとともに複数のブロックに分割される表示部と、前記表示部内の選択されたアドレス電極を駆動する駆動手段とを備え、入力される画像信号に応じて画像を表示するプラズマディスプレイ装置の駆動方法であって、
入力される画像信号の１フィールドを複数のサブフィールドに分割し、前記サブフィールドごとに選択された画素を駆動して階調表示を行うために、１フィールドの画像信号をサブフィールドごとのサブフィールド画像信号に変換するステップと、
前記サブフィールド画像信号から前記駆動手段の温度に対応する温度推定値を前記ブロックごとに推定するステップと、
前記温度推定値に応じて前記入力される画像信号を前記駆動手段の温度上昇を抑制する画像信号に変換するステップと、
前記変換されたサブフィールド画像信号に応じて前記駆動手段により前記表示部内の選択されたアドレス電極を駆動するステップとを含むことを特徴とするプラズマディスプレイ装置の駆動方法。
【請求項６】
マトリックス状に配列された複数の画素からなるとともに複数のブロックに分割される表示部と、前記表示部内の選択されたアドレス電極を駆動する駆動手段とを備え、入力される画像信号に応じて画像を表示するプラズマディスプレイ装置の駆動方法であって、
入力される画像信号の１フィールドを複数のサブフィールドに分割し、前記サブフィールドごとに選択された画素を駆動して階調表示を行うために、１フィールドの画像信号をサブフィールドごとのサブフィールド画像信号に変換するステップと、
前記サブフィールド画像信号から前記駆動手段の温度に対応する温度推定値を前記ブロックごとに推定するステップと、
前記温度推定値に応じて前記サブフィールド画像信号を前記駆動手段の温度上昇を抑制するサブフィールド画像信号に変換するステップと、
前記温度上昇を抑制するサブフィールド画像信号に応じて前記駆動手段により前記表示部内の選択されたアドレス電極を駆動するステップとを含むことを特徴とするプラズマディスプレイ装置の駆動方法。
【発明の詳細な説明】
【０００１】
【発明の属する技術分野】
本発明は、入力される画像信号に応じて画像を表示するプラズマディスプレイ装置およびその駆動方法に関するものである。
【０００２】
【従来の技術】
ＰＤＰ（プラズマディスプレイパネル）を用いたプラズマディスプレイ装置は、薄型化および大画面化が可能であるという利点を有する。このプラズマディスプレイ装置では、画素を構成する放電セルの放電の際の発光を利用することにより画像を表示している。この放電セルを発光させるため、放電セルを構成する各電極に高電圧の駆動パルスを印加する駆動回路が用いられる。
【０００３】
このため、従来のプラズマディスプレイ装置では、駆動回路の消費電力が大きくなっている。特に、アドレス電極を駆動するデータ駆動回路の消費電力が最も大きい。このデータ駆動回路の消費電力は表示される画像により変化し、特に、Ｒ、Ｇ、Ｂの各画素ごとに市松模様となる画像を表示する場合、駆動パルスの電圧の変化回数が増大し、パネルへの充放電電圧電力が増加することにより、消費電力が増大し、データ駆動回路を構成するデータドライバＬＳＩ（大規模集積回路）の許容損失を大幅に上回り、データドライバＬＳＩが破壊する場合がある。
【０００４】
このデータ駆動回路の破壊を防止するため、特開平１１−３８９３０号公報には、アドレスドライバ回路（データ駆動回路）内に温度センサーを設け、この温度センサーによりアドレスドライバ回路の温度上昇を検出し、検出した温度に基づき温度上昇を抑制する表示装置が開示されている。
【０００５】
【発明が解決しようとする課題】
しかしながら、上記のＲ、Ｇ、Ｂの各画素ごとに市松模様となる画像のようにデータ駆動回路の温度を上昇させやすい画像は、通常の自然画像の中にはほとんど存在することはなく、このような特殊な画像のために、温度検出手段である温度センサーをデータドライバＬＳＩに設けたり、または、許容損失の大きなデータドライバＬＳＩを用いたのでは、データドライバＬＳＩのコストが上昇し、ひいては表示装置のコストが高くなる。
【０００６】
本発明の目的は、温度検出手段を設けることなく、低コストで温度上昇による駆動手段の破壊を防止することができるプラズマディスプレイ装置およびその駆動方法を提供することである。
【０００７】
【課題を解決するための手段】
（１）第１の発明
第１の発明に係るプラズマディスプレイ装置は、マトリックス状に配列された複数の画素からなるとともに複数のブロックに分割される表示部に入力される画像信号に応じて画像を表示するプラズマディスプレイ装置であって、入力される画像信号の１フィールドを複数のサブフィールドに分割し、サブフィールドごとに選択された画素を駆動して階調表示を行うために、１フィールドの画像信号をサブフィールドごとのサブフィールド画像信号に変換するサブフィールド変換手段と、表示部内の選択されたアドレス電極を駆動する駆動手段と、サブフィールド画像信号から駆動手段の温度に対応する温度推定値をブロックごとに推定する温度推定手段と、温度推定値に応じてサブフィールド変換手段に入力される画像信号を駆動手段の温度上昇を抑制する画像信号に変換する画像信号変換手段とを備え、駆動手段は、サブフィールド変換手段により変換されたサブフィールド画像信号に応じて表示部内の選択されたアドレス電極を駆動するものである。
【０００８】
本発明に係るプラズマディスプレイ装置においては、入力される画像信号の１フィールドが複数のサブフィールドにサブフィールド変換手段により分割され、サブフィールドごとに選択された画素を駆動して階調表示を行うために、１フィールドの画像信号がサブフィールドごとのサブフィールド画像信号に変換される。サブフィールド画像信号から駆動手段の温度に対応する温度推定値がブロックごとに推定され、推定された温度推定値に応じて入力される画像信号が駆動手段の温度上昇を抑制する画像信号に変換される。サブフィールド画像信号に応じて表示部内の選択されたアドレス電極が駆動される。
【０００９】
このように、サブフィールド画像信号から駆動手段の温度に対応する温度推定値を推定しているので、温度検出手段を設けることなく、駆動手段の温度を求めることができる。また、温度推定値に応じて駆動手段の温度上昇を抑制するように入力される画像信号が変換されるので、許容損失の大きい高コストの駆動手段を用いることなく、温度上昇による駆動手段の破壊を防止することができる。この結果、温度検出手段を設けることなく、低コストで温度上昇による駆動手段の破壊を防止することができる。
また、サブフィールドごとのサブフィールド画像信号から駆動手段の温度を推定しているので、階調表示を行う場合に、実際に駆動される状態に応じて駆動手段の温度を高精度に推定することができる。
【００１０】
さらに、アドレス電極を駆動する駆動手段の温度上昇を抑制することができるので、プラズマディスプレイ装置の中で特に消費電力の大きいアドレス電極を駆動する駆動手段を温度上昇による破壊から保護することができ、プラズマディスプレイ装置の信頼性を向上することができる。
また、表示部が複数のブロックに分割され、ブロックごとに温度推定値を求めているので、温度上昇による駆動手段の破壊を確実に防止することができる。
【００１１】
（２）第２の発明
第２の発明に係るプラズマディスプレイ装置は、マトリックス状に配列された複数の画素からなるとともに複数のブロックに分割される表示部に入力される画像信号に応じて画像を表示するプラズマディスプレイ装置であって、入力される画像信号の１フィールドを複数のサブフィールドに分割し、サブフィールドごとに選択された画素を駆動して階調表示を行うために、１フィールドの画像信号をサブフィールドごとのサブフィールド画像信号に変換するサブフィールド変換手段と、表示部内の選択されたアドレス電極を駆動する駆動手段と、サブフィールド画像信号から駆動手段の温度に対応する温度推定値をブロックごとに推定する温度推定手段と、温度推定値に応じてサブフィールド変換手段により変換されたサブフィールド画像信号を駆動手段の温度上昇を抑制するサブフィールド画像信号に変換する画像信号変換手段とを備え、駆動手段は、画像信号変換手段により変換されたサブフィールド画像信号に応じて表示部内の選択されたアドレス電極を駆動するものである。
【００１２】
本発明に係るプラズマディスプレイ装置においては、入力される画像信号の１フィールドが複数のサブフィールドにサブフィールド変換手段により分割され、サブフィールドごとに選択された画素を駆動して階調表示を行うために、１フィールドの画像信号がサブフィールドごとのサブフィールド画像信号に変換される。サブフィールド画像信号から駆動手段の温度に対応する温度推定値がブロックごとに推定され、推定された温度推定値に応じて変換されたサブフィールド画像信号が駆動手段の温度上昇を抑制するサブフィールド画像信号に変換される。温度上昇を抑制するサブフィールド画像信号に応じて表示部内の選択されたアドレス電極が駆動される。
【００１３】
このように、サブフィールド画像信号から駆動手段の温度に対応する温度推定値を推定しているので、温度検出手段を設けることなく、駆動手段の温度を求めることができる。また、温度推定値に応じて駆動手段の温度上昇を抑制するようにサブフィールド画像信号が変換されるので、許容損失の大きい高コストの駆動手段を用いることなく、温度上昇による駆動手段の破壊を防止することができる。この結果、温度検出手段を設けることなく、低コストで温度上昇による駆動手段の破壊を防止することができる。
また、サブフィールドごとのサブフィールド画像信号から駆動手段の温度を推定しているので、階調表示を行う場合に、実際に駆動される状態に応じて駆動手段の温度を高精度に推定することができる。
さらに、アドレス電極を駆動する駆動手段の温度上昇を抑制することができるので、プラズマディスプレイ装置の中で特に消費電力の大きいアドレス電極を駆動する駆動手段を温度上昇による破壊から保護することができ、プラズマディスプレイ装置の信頼性を向上することができる。
また、表示部が複数のブロックに分割され、ブロックごとに温度推定値を求めているので、温度上昇による駆動手段の破壊を確実に防止することができる。
【００１４】
（３）第３の発明
第３の発明に係るプラズマディスプレイ装置は、第１または第２の発明に係るプラズマディスプレイ装置の構成において、温度推定手段は、表示部の画素間でサブフィールド画像信号の各データを論理演算し、演算結果の総和を基に温度推定値を求めるものである。
【００１５】
この場合、表示部の画素間でサブフィールド画像信号の各データを論理演算し、演算結果の総和を基に温度推定値を求めているので、Ｒ、Ｇ、Ｂの各画素ごとに市松模様となる画像のような消費電力が大きくなる画像に基づいて温度推定値を求めることができ、駆動手段の温度を画像信号から高精度に求めることができる。
【００１６】
（４）第４の発明
第４の発明に係るプラズマディスプレイ装置は、第３の発明に係るプラズマディスプレイ装置の構成において、温度推定手段は、演算結果の総和をフィールドごとに積分するとともに、積分した値から駆動手段の放熱量を減算して温度推定値を求めるものである。
【００１７】
この場合、演算結果の総和をフィールドごとに積分するとともに、積分した値から駆動手段の放熱量を減算して温度推定値を求めているので、放熱量も含めて蓄熱による温度上昇を求めることができ、より正確に温度推定値を求めることができる。
【００１８】
（５）第５の発明
第５の発明に係る表示装置の駆動方法は、マトリックス状に配列された複数の画素からなるとともに複数のブロックに分割される表示部と、表示部内の選択されたアドレス電極を駆動する駆動手段とを備え、入力される画像信号に応じて画像を表示するプラズマディスプレイ装置の駆動方法であって、入力される画像信号の１フィールドを複数のサブフィールドに分割し、サブフィールドごとに選択された画素を駆動して階調表示を行うために、１フィールドの画像信号をサブフィールドごとのサブフィールド画像信号に変換するステップと、サブフィールド画像信号から駆動手段の温度に対応する温度推定値をブロックごとに推定するステップと、温度推定値に応じて入力される画像信号を駆動手段の温度上昇を抑制する画像信号に変換するステップと、変換されたサブフィールド画像信号に応じて駆動手段により表示部内の選択されたアドレス電極を駆動するステップとを含むものである。
【００１９】
本発明に係る表示装置の駆動方法においては、入力される画像信号の１フィールドが複数のサブフィールドにサブフィールド変換手段により分割され、サブフィールドごとに選択された画素を駆動して階調表示を行うために、１フィールドの画像信号がサブフィールドごとのサブフィールド画像信号に変換される。サブフィールド画像信号から駆動手段の温度に対応する温度推定値がブロックごとに推定され、推定された温度推定値に応じて入力される画像信号が駆動手段の温度上昇を抑制する画像信号に変換される。サブフィールド画像信号に応じて表示部内の選択されたアドレス電極が駆動される。
【００２０】
このように、サブフィールド画像信号から駆動手段の温度に対応する温度推定値を推定しているので、温度検出手段を設けることなく、駆動手段の温度を求めることができる。また、温度推定値に応じて駆動手段の温度上昇を抑制するように入力される画像信号が変換されるので、許容損失の大きい高コストの駆動手段を用いることなく、温度上昇による駆動手段の破壊を防止することができる。この結果、温度検出手段を設けることなく、低コストで温度上昇による駆動手段の破壊を防止することができる。
【００２１】
また、サブフィールドごとのサブフィールド画像信号から駆動手段の温度を推定しているので、階調表示を行う場合に、実際に駆動される状態に応じて駆動手段の温度を高精度に推定することができる。
【００２２】
さらに、アドレス電極を駆動する駆動手段の温度上昇を抑制することができるので、プラズマディスプレイ装置の中で特に消費電力の大きいアドレス電極を駆動する駆動手段を温度上昇による破壊から保護することができ、プラズマディスプレイ装置の信頼性を向上することができる。
【００２３】
また、表示部が複数のブロックに分割され、ブロックごとに温度推定値を求めているので、温度上昇による駆動手段の破壊を確実に防止することができる。
【００２４】
（６）第６の発明
第６の発明に係る表示装置の駆動方法は、マトリックス状に配列された複数の画素からなるとともに複数のブロックに分割される表示部と、表示部内の選択されたアドレス電極を駆動する駆動手段とを備え、入力される画像信号に応じて画像を表示するプラズマディスプレイ装置の駆動方法であって、入力される画像信号の１フィールドを複数のサブフィールドに分割し、サブフィールドごとに選択された画素を駆動して階調表示を行うために、１フィールドの画像信号をサブフィールドごとのサブフィールド画像信号に変換するステップと、サブフィールド画像信号から駆動手段の温度に対応する温度推定値をブロックごとに推定するステップと、温度推定値に応じてサブフィールド画像信号を駆動手段の温度上昇を抑制するサブフィールド画像信号に変換するステップと、温度上昇を抑制するサブフィールド画像信号に応じて駆動手段により表示部内の選択されたアドレス電極を駆動するステップとを含むものである。
【００２５】
本発明に係るプラズマディスプレイ装置においては、入力される画像信号の１フィールドが複数のサブフィールドにサブフィールド変換手段により分割され、サブフィールドごとに選択された画素を駆動して階調表示を行うために、１フィールドの画像信号がサブフィールドごとのサブフィールド画像信号に変換される。サブフィールド画像信号から駆動手段の温度に対応する温度推定値がブロックごとに推定され、推定された温度推定値に応じて変換されたサブフィールド画像信号が駆動手段の温度上昇を抑制するサブフィールド画像信号に変換される。温度上昇を抑制するサブフィールド画像信号に応じて表示部内の選択されたアドレス電極が駆動される。
【００２６】
このように、サブフィールド画像信号から駆動手段の温度に対応する温度推定値を推定しているので、温度検出手段を設けることなく、駆動手段の温度を求めることができる。また、温度推定値に応じて駆動手段の温度上昇を抑制するようにサブフィールド画像信号が変換されるので、許容損失の大きい高コストの駆動手段を用いることなく、温度上昇による駆動手段の破壊を防止することができる。この結果、温度検出手段を設けることなく、低コストで温度上昇による駆動手段の破壊を防止することができる。
【００２７】
また、サブフィールドごとのサブフィールド画像信号から駆動手段の温度を推定しているので、階調表示を行う場合に、実際に駆動される状態に応じて駆動手段の温度を高精度に推定することができる。
【００２８】
さらに、アドレス電極を駆動する駆動手段の温度上昇を抑制することができるので、プラズマディスプレイ装置の中で特に消費電力の大きいアドレス電極を駆動する駆動手段を温度上昇による破壊から保護することができ、プラズマディスプレイ装置の信頼性を向上することができる。
【００２９】
また、表示部が複数のブロックに分割され、ブロックごとに温度推定値を求めているので、温度上昇による駆動手段の破壊を確実に防止することができる
【００４１】
【発明の実施の形態】
以下、本発明に係るプラズマディスプレイ装置の一例としてＡＣ型プラズマディスプレイ装置について説明する。
【００４２】
まず、本発明の参考形態によるプラズマディスプレイ装置について説明する。図１は、本発明の参考形態によるプラズマディスプレイ装置の構成を示すブロック図である。
【００４３】
図１に示すプラズマディスプレイ装置は、画像信号制御器１、画像−サブフィールド対応付け器２、サブフィールド処理器３、温度推定器４、走査・維持駆動回路５、データ駆動回路６およびプラズマディスプレイパネル７を備える。
【００４４】
画像信号制御器１には、垂直同期信号および水平同期信号を含む画像信号ＶＤが入力される。画像信号制御器１は、入力された画像信号ＶＤを温度推定器４から出力される温度推定値ＴＥに応じてフィルタリングした画像信号ＶＦを画像−サブフィールド対応付け器２へ出力する。
【００４５】
画像−サブフィールド対応付け器２は、１フィールドを複数のサブフィールドに分割して表示するため、１フィールドの画像信号ＶＦからサブフィールドごとの画像データであるサブフィールド画像データＳＢを作成し、サブフィールド処理器３および温度推定器４へ出力する。
【００４６】
サブフィールド処理器３は、サブフィールド画像データＳＢ等からデータドライバ駆動制御信号、スキャンドライバ駆動制御信号およびサステインドライバ駆動制御信号を作成し、データドライバ駆動制御信号をデータ駆動回路６へ出力するとともに、スキャンドライバ駆動制御信号およびサステインドライバ駆動制御信号を走査・維持駆動回路５へ出力する。
【００４７】
温度推定器４は、サブフィールド画像データＳＢを用いてデータ駆動回路６の温度に対応する温度推定値ＴＥを演算し、温度推定値ＴＥを画像信号制御器１へ出力する。
【００４８】
プラズマディスプレイパネル７は、複数のアドレス電極（データ電極）、複数のスキャン電極（走査電極）および複数のサステイン電極（維持電極）を含む。
複数のアドレス電極は、画面の垂直方向に配列され、複数のスキャン電極および複数のサステイン電極は、画面の水平方向に配列されている。また、複数のサステイン電極は共通に接続されている。アドレス電極、スキャン電極およびサステイン電極の各交点には、放電セルが形成され、各放電セルが画面上の画素を構成する。
【００４９】
データ駆動回路６は、プラズマディスプレイパネル７の複数のアドレス電極に接続されている。走査・維持駆動回路５は、プラズマディスプレイパネル７の複数のスキャン電極およびサステイン電極に接続されている。
【００５０】
データ駆動回路６は、データドライバ駆動制御信号に従い、初期化期間において、壁電荷を調整するための初期化パルスをアドレス電極に印加する。走査・維持駆動回路５は、スキャンドライバ駆動制御信号およびサステインドライバ駆動制御信号に従い、初期化期間において、壁電荷を調整するための初期化パルスをスキャン電極およびサステイン電極に印加する。これにより、各電極の壁電荷が、以降のアドレス放電および維持放電に適した壁電荷に調整される。
【００５１】
データ駆動回路６は、データドライバ駆動制御信号に従い、書き込み期間において、画像データに応じてプラズマディスプレイパネル７の該当するアドレス電極に書き込みパルスを印加する。走査・維持駆動回路５は、スキャンドライバ駆動制御信号に従い、書き込み期間において、シフトパルスを垂直走査方向にシフトしつつ複数のスキャン電極に書き込みパルスを順に印加する。これにより、該当する放電セルにおいてアドレス放電が行われる。
【００５２】
走査・維持駆動回路５は、スキャンドライバ駆動制御信号に従い、維持期間において、周期的な維持パルスをプラズマディスプレイパネル７の複数のスキャン電極に印加するとともに、サステインドライバ駆動制御信号に従い、複数のサステイン電極にスキャン電極の維持パルスに対して１８０度位相のずれた維持パルスを同時に印加する。これにより、該当する放電セルにおいて維持放電が行われ、各画素がサブフィールドごとに発光または非発光される。
【００５３】
上記のようにして、図１に示すプラズマディスプレイ装置では、階調表示駆動方式として、ＡＤＳ（Address Display-Period Separation ：アドレス・表示期間分離）方式が用いられる。ＡＤＳ方式では、１フィールドを複数のサブフィールドに時間的に分割し、各サブフィールドは、初期化期間、書き込み期間、維持期間等に分離され、初期化期間において各サブフィールドのセットアップ処理が行われ、書き込み期間において点灯される放電セルを選択するためのアドレス放電が行われ、維持期間において表示のための維持放電が行われる。
【００５４】
図２は、図１に示す温度推定器４の構成を示すブロック図である。図２に示す温度推定器４は、周辺画素間演算回路４１、加算回路４２および温度推定回路４３を含む。
【００５５】
周辺画素間演算回路４１は、各サブフィールドにおいて、隣接する画素間でサブフィールド画像データＳＢの排他的論理和を演算し、サブフィールドごとの演算結果を加算回路４２へ出力する。加算回路４２は、入力される各サブフィールドの演算結果を順次加算し、１フィールド分の演算結果の総和を加算値ＳＤとして温度推定回路４３へ出力する。温度推定回路４３は、加算値ＳＤを積分するとともに放熱分を減算して温度推定値ＴＥを出力する。
【００５６】
図３は、図２に示す周辺画素間演算回路４１および加算回路４２による演算処理を説明するための模式図である。図３に示す例では、説明を容易にするためにプラズマディスプレイパネル７を簡略化し、アドレス電極として６本のアドレス電極Ｒ１，Ｇ１，Ｂ１，Ｒ２，Ｇ２，Ｂ２が配列されるとともに、スキャン電極およびサステイン電極として４本のライン１〜４が配列され、各交点に放電セルＳＥが形成されている例を示している。また、各放電セルＳＥ中の「○」は、当該放電セルのサブフィールド画像データＳＢの値が１であることを示すとともに、当該放電セルが点灯していることを示し、「×」は、当該放電セルのサブフィールド画像データＳＢの値が０であることを示すとともに、当該放電セルが非点灯であることを示している。
【００５７】
図３に示すように各放電セルの点灯／非点灯の状態がサブフィールド画像データＳＢにより決定されている場合、周辺画素間演算回路４１は、まず、左右画素間のデータの排他的論理和を順次演算する。例えば、ライン１とアドレス電極Ｒ１とにより形成される放電セルのデータとライン１とアドレス電極Ｇ１により形成される右隣の放電セルのデータとの排他的論理和は１となり、以降同様に左右画素間のデータの排他的論理和が順次演算され、ライン１では、１，１，１，１，１が演算され、左右画素間の演算結果の合計は５となる。また、同様にライン２〜４の左右画素間の演算結果の合計は、２，３，２となる。
【００５８】
また、周辺画素間演算回路４１は、上下画素間のデータの排他的論理和を上記と同様に演算し、例えば、ライン１とアドレス電極Ｒ１とにより形成される放電セルのデータとライン２とアドレス電極Ｒ１とにより形成される放電セルのデータとの排他的論理和は０となり、以降同様に上下画素間のデータの排他的論理和が順次演算され、ライン１とライン２との上下画素間では、０，１，１，０，０，１が演算され、上下画素間の演算結果の合計は３となる。また、同様に、ライン２とライン３との上下画素間の演算結果の合計は４となり、ライン３の各画素とライン４の各画素との上下画素間の演算結果の合計は３となる。
【００５９】
上記のようにして、周辺画素間演算回路４１では、サブフィールド画像データＳＢから左右および上下の画素間のデータの排他的論理和が演算され、図３に示す例では、周辺画素との排他的論理和の合計は２２となる。
【００６０】
図４は、ＡＤＳ方式における各サブフィールドの書き込み期間での演算結果の一例を示す図である。図４に示す例では、１フィールドが４つのサブフィールドＳＦ１〜ＳＦ４に分割され、サブフィールドＳＦ１の表示画像が図３に示す表示パターンを有する画像の場合、サブフィールドＳＦ１の書き込み期間の書き込みパルスに対する演算結果の合計は２２となり、以降同様に各サブフィールドＳＦ２〜ＳＦ４の書き込み期間の書き込みパルスに対する演算結果は、例えば、１５，１０，５となる。これらの演算結果が加算回路４２により順次加算され、図４に示す例では、１フィールド期間中の演算結果の合計値が５２となり、この値が加算値ＳＤとして温度推定回路４３へ出力される。
【００６１】
上記のように、周辺画素間演算回路４１が書き込み期間にデータ駆動回路６により印加される書き込みパルスの隣接画素間のデータの排他的論理和を順次演算し、加算回路４２が１フィールド分の演算結果を加算することにより、データ駆動回路６の温度上昇に対応した温度推定値を演算するためのデータを得ることができる。
【００６２】
なお、周辺画素間演算回路４１による周辺画素間での排他的論理和演算は、上記のように左右および上下の画素間での演算に特に限定されず、左右の画素間での排他的論理演算和を演算せずに、上下の画素間での排他的論理和のみを演算するようにしてもよい。
【００６３】
すなわち、温度推定器４により推定される温度推定値は、データ駆動回路６の温度に対応する値であり、データ駆動回路６はプラズマディスプレイパネル７の垂直方向に配列されるアドレス電極を駆動するための駆動回路であるため、各アドレス電極ごとに駆動電圧の変化を検出することができれば、ほぼデータ駆動回路の温度上昇を推定することができる。
【００６４】
したがって、演算処理を簡略化するため、図５に示すように上下画素間での排他的論理和のみを行い、当該データを上記と同様に処理することにより温度推定値を求めてもよい。図５に示す例では、ライン１とライン２との間の演算結果の合計は３となり、ライン２とライン３との演算結果の合計は４となり、ライン３とライン４との演算結果の合計は３となり、これらの合計値は１０となる。
【００６５】
この場合、各サブフィールドでの演算結果は、例えば、図６に示すように、サブフィールドＳＦ１の演算結果が１０となり、サブフィールドＳＦ２〜ＳＦ４の演算結果が７，５，３となり、１フィールド期間中の演算結果の合計が２５となる。
【００６６】
図７は、図２に示す温度推定回路４３の構成を示すブロック図である。図７に示す温度推定回路４３は、加算器４４、メモリ４５および放熱分算出回路４６を含む。
【００６７】
加算器４４は、加算回路４２により加算された１フィールド分の加算値ＳＤと放熱分算出回路４６の出力とを加算し、メモリ４５へ出力する。メモリ４５は、加算器４４の出力を１フィールドごとに記憶し、記憶している値を温度推定値ＴＥとして出力するとともに、放熱分算出回路４６へ出力する。放熱分算出回路４６は、メモリ４５から出力される温度推定値ＴＥに（１−α）を乗算して温度推定値ＴＥから放熱分を減算した値を加算器４４へ出力する。ここで、αは、放熱分に相当し、０＜α＜１を満たす所定の係数である。
【００６８】
上記の処理により、１フィールドごとに温度推定値ＴＥから放熱分を減算した値が、加算回路４２から出力される１フィールド中の温度上昇に対応した加算値ＳＤに加算され、加算結果が温度推定値ＴＥとして出力される。
【００６９】
図８は、図１に示す画像信号制御器１の構成を示すブロック図である。図８に示す画像信号制御器１は、遅延器１１〜１３、減算器１４、乗算器１５〜１７、加算器１８、セレクタ１９、比較器２０，２１および判定回路２２を含む。
【００７０】
遅延器１１〜１３は、１画素遅延器であり、１画素分ずつ画像信号ＶＤを遅延し、１画素分遅延された出力が減算器１４および乗算器１５に出力され、２画素分遅延された出力が減算器１４、乗算器１６およびセレクタ１９に出力され、３画素分遅延された出力が乗算器１７へ出力される。
【００７１】
乗算器１５は、遅延器１１の出力に（１−ａ）／２を乗算し、乗算結果を加算器１８へ出力する。乗算器１６は、遅延器１２の出力にａを乗算し、乗算結果を加算器１８へ出力する。乗算器１７は、遅延器１３の出力に（１−ａ）／２を乗算し、乗算結果を加算器１８へ出力する。
【００７２】
また、乗算器１５〜１７には、温度推定値ＴＥが入力されており、乗算器１５〜１７は、温度推定値ＴＥが大きくなるほど係数ａ（１／２≦ａ≦１）を小さい値に設定する。加算器１８は、乗算器１５〜１７の各出力を加算し、加算結果をセレクタ１９へ出力する。
【００７３】
上記の遅延器１１〜１３、乗算器１５〜１７および加算器１８により表示画面の水平方向におけるローパスフィルタが構成され、温度推定値ＴＥが大きくなるほど、ローパスフィルタの帯域が狭くなり、隣接する画素間のデータが平均化されて隣接する画素間で変化の少ない画像信号がセレクタ１９へ出力される。
【００７４】
比較器２０は、温度推定値ＴＥと予め設定された第１基準値Ｖｓｅｔ１とを比較し、温度推定値ＴＥが第１基準値Ｖｓｅｔ１以上の場合にハイレベルの比較結果信号を判定回路２２へ出力し、その他の場合にローレベルの比較結果信号を判定回路２２へ出力する。
【００７５】
減算器１４は、遅延器１１の出力と遅延器１２の出力との差を演算し、減算結果を比較器２１へ出力する。
【００７６】
比較器２１は、減算器１４の出力と予め設定された第２基準値Ｖｓｅｔ２とを比較し、減算器１４の出力が第２基準値Ｖｓｅｔ２以上の場合にハイレベルの比較結果信号を判定回路２２へ出力し、その他の場合にローレベルの比較結果信号を判定回路２２へ出力する。したがって、減算器１４の出力が第２基準値Ｖｓｅｔ１以上の場合すなわち隣接する画素間で画像信号の変化が大きい場合に、比較器２１は、比較結果信号としてハイレベルの比較結果信号を判定回路２２へ出力する。
【００７７】
判定回路２２は、比較器２０，２１の比較結果信号がともにハイレベルの場合に、セレクタ１９に加算器１８の出力を選択し、その他の場合に遅延器１２の出力を選択するように指示する。セレクタ１９は、画像の変化が大きくかつ温度推定値ＴＥが高い場合にのみ、加算器１８の出力すなわちローパスフィルタにより平均化された画像信号を画像信号ＶＦとして出力し、その他の場合にフィルタリングされていない画像信号ＶＤを画像信号ＶＦとしてそのまま出力する。
【００７８】
このように、画像信号制御器１では、画像の変化が大きくかつ温度推定値ＴＥが高い場合、ローパスフィルタにより画素間の信号レベルの変化を少なくした画像信号に変換しているので、データ駆動回路６の消費電力を低減することができるとともに、通常の画像の場合、当該画像をそのまま出力しているので、画質の劣化を防止することができる。
【００７９】
なお、上記の例では、遅延器１１〜１３として１画素遅延器を用いたが、１Ｈ（１水平走査期間）遅延器を用いて表示画面の垂直方向におけるローパスフィルタを構成し、垂直方向の画素間の信号レベルの変化を少なくするようにしてもよく、また、１画素遅延器と１Ｈ遅延器との両方を組み合わせて用いて、水平方向および垂直方向におけるローパスフィルタを用いて画素間の信号変化を少なくするようにしてもよい。
【００８０】
また、比較器２０，２１の両比較結果信号がハイレベルの場合すなわち画像の変化が大きくかつ温度推定値ＴＥが大きい場合に加算器１８の出力を選択するようにしたが、比較器２０または比較器２１のいずれかの比較結果信号がハイレベルの場合すなわち画像の変化が大きい場合または温度推定値ＴＥが大きい場合に加算器１８の出力を選択するようにしてもよい。
【００８１】
本参考形態において、プラズマディスプレイパネル７が表示部に相当し、データ駆動回路６が駆動手段に相当し、温度推定器４が温度推定手段に相当し、画像信号制御器１が画像信号変換手段に相当する。また、画像−サブフィールド対応付け器２がサブフィールド変換手段に相当し、データ駆動回路６がアドレス電極駆動手段に相当する。
【００８２】
次に、上記のようにして画像信号ＶＤをフィルタリングして画像信号ＶＦに変換した場合の効果について説明する。図９は、プラズマディスプレイパネルに表示される画像の一例を示す図である。
【００８３】
図９では、各放電セルＳＥ内に示す数値が輝度を示している。図９に示す例では、Ｒ，Ｇ，Ｂの各画素を一組とした画素ごとに輝度が１５または０となる市松模様のパターンを示しており、この画面の平均輝度は７．５である。
【００８４】
この場合、例えば、図４に示すように、４つのサブフィールドから１フィールドが構成され、各サブフィールドの重み付けが１，２，４，８の場合、各サブフィールドでの書き込みパターンは、図１０に示す書き込みパターンとなる。すなわち、全てのサブフィールドでの書き込みパターンが市松模様となり、各アドレス電極Ｒ１，Ｇ１，Ｂ１，Ｒ２，Ｇ２，Ｂ２の書き込みパターンが０と１と交互に繰り返し、隣接する画素間でのサブフィールド画像データの変化が最も大きくなる。したがって、図１０に示す書き込みパターンをそのまま用いた場合、パネルへの充放電電力が増大するため、消費電力が大きくなり、データ駆動回路６の温度が上昇する。
【００８５】
一方、本参考形態では、図９に示す画像を表示する画像信号ＶＤが画像信号制御器１へ入力された場合、図１１に示す画像を表示する画像信号ＶＦに変換される。すなわち、画像信号制御器１により隣接する画素間で輝度が平均化され、例えば、全ての画素の輝度が７となり、画面の平均輝度は７となる。
【００８６】
この場合、サブフィールドＳＦ１〜ＳＦ３の書き込みパターンは図１２に示すパターンとなり、サブフィールドＳＦ４の書き込みパターンは図１３に示す書き込みパターンとなる。すなわち、サブフィールドＳＦ１〜ＳＦ３では、全ての放電セルが点灯されて書き込みパルスの電圧変化の回数が少なくなり、サブフィールドＳＦ４では、全ての放電セルが非点灯されて書き込みパルスの電圧変化の回数が少なくなる。したがって、全てのサブフィールドで書き込みパルスの電圧変化の回数が少なくなるので、パネルへの充放電電力が減少し、データ駆動回路６の消費電力が小さくなり、データ駆動回路６の温度上昇を抑制することができる。
【００８７】
このように、本参考形態では、画像信号からデータ駆動回路６の温度に対応する温度推定値ＴＥを推定しているので、温度センサーを設けることなく、データ駆動回路６の温度を求めることができるとともに、温度推定値ＴＥおよび隣接画素間での画像信号の変化に応じて画像信号をフィルタリングして画像信号の輝度を平均化しているので、許容損失の大きい高コストのデータドライバＬＳＩを用いることなく、温度上昇によるデータ駆動回路６の破壊を防止することができる。
【００８８】
次に、本発明の第１の実施の形態によるプラズマディスプレイ装置について説明する。図１４は、本発明の第１の実施の形態によるプラズマディスプレイ装置の構成を示すブロック図である。
【００８９】
図１４に示すプラズマディスプレイ装置と図１に示すプラズマディスプレイ装置とで異なる点は、画像信号制御器１および温度推定器４が画像信号制御器１ａおよび温度推定器４ａに変更された点であり、その他の点は図１に示すプラズマディスプレイ装置と同様であるので、同一部分には同一符号を付し、以下異なる点についてのみ詳細に説明する。
【００９０】
温度推定器４ａは、データ駆動回路６を構成するデータドライバＬＳＩごとにプラズマディスプレイパネル７を複数のブロックに分割し、ブロックごとすなわちデータドライバＬＳＩごとに演算した温度推定値ＴＥｎを画像信号制御器１ａへ出力する。
【００９１】
画像信号制御器１ａは、各ブロックごとに温度推定値ＴＥｎに応じて画像信号ＶＤにフィルタリング処理を行い、ブロックごとにデータドライバＬＳＩの温度上昇を抑制する画像信号ＶＦを画像−サブフィールド対応付け器２へ出力する。
【００９２】
本実施の形態において、温度推定器４ａが温度推定手段に相当し、画像信号制御器１ａが画像信号変換手段に相当し、その他の点は第１の実施の形態と同様である。
【００９３】
図１５は、図１４に示す温度推定器４ａの構成を示すブロック図である。図１５に示す温度推定器４ａは、ブロック分割回路４０、４つの周辺画素間演算回路４１ａ〜４１ｄ、４つの加算回路４２ａ〜４２ｄおよび４つの温度推定回路４３ａ〜４３ｄを含む。
【００９４】
本実施の形態では、データ駆動回路６を構成するデータドライバＬＳＩが４つあり、各データドライバＬＳＩが駆動するアドレス電極を含む領域を一つのブロックとしてプラズマディスプレイパネル７が４つに分割され、温度推定器４ａは、以下のようにして、４つのブロックのデータドライバＬＳＩの温度に対応する４つの温度推定値ＴＥ１〜ＴＥ４を算出する。なお、上記の例では、分割数はこの例に特に限定されず、種々の分割数を用いることができる。
【００９５】
ブロック分割回路４０は、入力されるサブフィールド画像データＳＢをブロックごとに分割し、対応するブロックに対して設けられた周辺画素間演算回路４１ａ〜４１ｄへ出力する。
【００９６】
周辺画素間演算回路４１ａ、加算回路４２ａおよび温度推定回路４３ａは、４分割されたブロックのうち第１ブロックに対して設けられた回路であり、図２に示す周辺画素間演算回路４１、加算回路４２および温度推定回路４３と同様に動作し、第１ブロックの温度推定値ＴＥ１を演算し、画像信号制御器１ａへ出力される。
【００９７】
以降同様に、周辺画素間演算回路４１ｂ、加算回路４２ｂおよび温度推定回路４３ｂにより第２ブロックの温度推定値ＴＥ２が演算され、周辺画素間演算回路４１ｃ、加算回路４２ｃおよび温度推定回路４３ｃにより第３ブロックの温度推定値ＴＥ３が演算され、周辺画素間演算回路４１ｄ、加算回路４２ｄおよび温度推定回路４３ｄにより第４ブロックの温度推定値ＴＥ４が演算され、それぞれ画像信号制御器１ａへ出力される。
【００９８】
画像信号制御器１ａは、各ブロックごとに図８に示す画像信号制御器１と同様に温度推定値ＴＥ１〜ＴＥ４に応じてフィルタリング処理を行い、温度推定値が高くかつ画像の変化の大きい場合に各ブロックごとに画像信号ＶＤを隣接する画素間のデータが平均化された画像信号ＶＦに変換して出力する。
【００９９】
このようにして、本実施の形態では、データ駆動回路６を構成するデータドライバＬＳＩごとに温度推定値に応じて画像信号が変換され、各データドライバＬＳＩの温度上昇を抑制し、データドライバＬＳＩを個別に温度上昇による破壊から保護することができる。
【０１００】
なお、プラズマディスプレイパネル７をデータ駆動回路６を構成するデータドライバＬＳＩごとに分割し、各データドライバＬＳＩの温度に対応する温度推定値を算出した場合のデータ駆動回路６の温度上昇を抑制する方法は、上記の例に特に限定されず、種々の変更が可能である。例えば、以下に説明するように各ブロックの温度推定値を求め、求めた温度推定値の中から最大値を検出し、検出された最大値に基づき画像信号を変換するようにしてもよい。
【０１０１】
図１６は、温度推定器の他の例の構成を示すブロック図である。図１６に示す温度推定器４ｂと図１５に示す温度推定器４ａとで異なる点は、最大値検出回路４７が付加された点であり、その他の点は図１５に示す温度推定器４ａと同様であるので同一部分には同一符号を付し、以下異なる部分についてのみ詳細に説明する。
【０１０２】
図１６に示すように、最大値検出回路４７は、温度推定回路４３ａ〜４３ｄから出力される各ブロックの温度推定値を受け、４つの温度推定値から最大値を検出し、検出した最大値を温度推定値ＴＥとして出力する。
【０１０３】
したがって、図１６に示す温度推定器４ｂを図１に示すプラズマディスプレイ装置に用いることにより、最も温度が上昇したデータドライバＬＳＩを基準に各データドライバＬＳＩの温度上昇を抑制することができ、複数のデータドライバＬＳＩがある場合でも、全てのデータドライバＬＳＩを温度上昇による破壊から確実に保護することができる。
【０１０４】
次に、本発明の第２の実施の形態によるプラズマディスプレイ装置について説明する。図１７は、本発明の第２の実施の形態によるプラズマディスプレイ装置の構成を示すブロック図である。
【０１０５】
図１７に示すプラズマディスプレイ装置と図１に示すプラズマディスプレイ装置とで異なる点は、画像信号制御器１が画像信号制御器１ｂに変更された点と、画像−サブフィールド対応付け器２、画像信号制御器１ｂおよび温度推定器４の接続が変更された点であり、その他の点は図１に示したプラズマディスプレイ装置と同様であるので、同一部分には同一符号を付し、以下異なる点についてのみ詳細に説明する。
【０１０６】
画像−サブフィールド対応付け器２には、垂直同期信号および水平同期信号を含む画像信号ＶＤが入力される。画像−サブフィールド対応付け器２は、１フィールドの画像信号ＶＤからサブフィールドごとの画像データであるサブフィールド画像データＳＢを作成し、画像信号制御器１ｂおよび温度推定器４へ出力する。
【０１０７】
画像信号制御器１ｂは入力されたサブフィールド画像データＳＢを温度推定器４から出力される温度推定値ＴＥに応じてサブフィールド画像信号の複数ビットの一部分を周辺の画素と同一化させたサブフィールド画像データＳＢＣをサブフィールド処理器３へ出力する。
【０１０８】
温度推定器４は、サブフィールド画像データＳＢを用いてデータ駆動回路６の温度に対応する温度推定値ＴＥを演算し、温度推定値ＴＥを画像信号制御器１ｂへ出力する。
【０１０９】
本実施の形態において、画像信号制御器１ｂが画像信号変換手段に相当し、その他の点は第１の実施の形態と同様である。
【０１１０】
図１８は、図１７に示す画像信号制御器１ｂの構成を示すブロック図である。
図１８に示す画像信号制御器１ｂは、加算器１１ｂ、遅延器１２ｂ，１３ｂ、比較器１４ｂ，１６ｂ、下位ビット置換器１５ｂ、およびセレクタ１７ｂを含む。
【０１１１】
加算器１１ｂは、サブフィールド画像データＳＢ、および下位ビット置換器１５ｂから出力される下位ビットが置換された値と元の値との差のデータＥＲを加算し、加算結果を遅延器１２ｂへ出力する。遅延器１２ｂ，１３ｂは１Ｈ（１水平走査期間）遅延器であり、１Ｈ分づつ画像データを遅延し、１Ｈ分遅延された出力が比較器１４ｂおよび下位ビット置換器１５ｂに出力される。
【０１１２】
比較器１４ｂは、遅延器１２ｂの出力と遅延器１３ｂの出力とを比較し、比較結果を下位ビット置換器１５ｂへ出力する。下位ビット置換器１５ｂは、比較器１４ｂの比較結果および温度推定値ＴＥの値に応じて、１Ｈ遅延器１２ｂおよび１Ｈ遅延器１３ｂの出力のうち値の大きい方の下位のサブフィールドデータを値の小さい方の下位のサブフィールドデータで置換し、置換されたサブフィールド画像データをセレクタ１７ｂへ出力する。
【０１１３】
下位ビット置換器１５ｂは、温度推定値ＴＥの値が大きいほど置換するサブフィールドデータのビット数を大きくして、隣接する画像データの同一化させるビット数を多くして、画素間で変化の少ないサブフィールド画像データをセレクタ１７ｂへ出力する。
【０１１４】
比較器１６ｂは、温度推定値ＴＥと予め設定された第３の基準値Ｖｓｅｔ３とを比較し、温度推定値ＴＥが第３の基準値Ｖｓｅｔ以上の場合に、セレクタ１７ｂに下位ビット置換器１５ｂの出力を選択し、その他の場合に遅延器１３ｂの出力を選択するように指示する。
【０１１５】
セレクタ１７ｂは、比較器１６ｂの指示にしたがって、遅延器１３ｂの出力と下位ビット置換器１５ｂの出力とを切り換えて、サブフィールド画像データＳＢＣを出力する。
【０１１６】
このように、画像信号制御器１ｂでは、温度推定値ＴＥが高い場合にサブフィールド画像信号の複数ビットの一部分を周辺の画素と同一化させたサブフィールド画像データに変換しているので、データ駆動回路６の消費電力を低減するとともに、通常の画像の場合、当該画像をそのまま出力しているので、画質の劣化を防止することができる。
【０１１７】
なお、上記の例では、遅延器１２ｂ，１３ｂとして、１Ｈ遅延器を用て垂直方向の周辺画素同士でサブフィールド画像信号の複数ビットの一部分を同一化したが、１画素遅延器を用いて水平方向の周辺画素同士でサブフィールド画像信号の複数ビットの一部分を同一化するようにしてもよく、また、１Ｈ遅延器と１画素遅延器との両方を組み合わせて用いて、水平方向および垂直方向の周辺画素同士で画像の一部のビットを同一化して画素間の信号変化を少なくするようにしてもよい。
【０１１８】
次に、上記のようにして、周辺画素同士でサブフィールド画像信号の複数ビットの一部分を同一化した場合の効果について説明する。図１９は、プラズマディスプレイパネルに表示される画像の一例を示す図である。
【０１１９】
図１９では、各放電セルＳＥ内に示す数値が輝度を示している。図１９に示す例は、Ｒ，Ｇ，Ｂの各画素を一組とした画素ごとの輝度が３または１２となる市松模様のパターンを示しており、この画面の平均輝度は７．５である。
【０１２０】
この場合、たとえば図４と同様に４つのサブフィールドから１フィールドが構成され、各サブフィールドの重み付けが１，２，４，８の場合、サブフィールドＳＦ１，ＳＦ２の書き込みパターンは図２０に示すパターンになり、サブフィールドＳＦ３，ＳＦ４の書き込みパターンは図２１に示すパターンになる。すなわち、ＳＦ１，ＳＦ２とＳＦ３，ＳＦ４で書き込みパターンは異なるものの書き込みパターンが市松模様となり、各アドレス電極Ｒ１，Ｇ１，Ｂ１，Ｒ２，Ｇ２，Ｂ２の書き込みパターンが０と１と交互に繰り返し、隣接する画素間でサブフィールド画像データの変化が最も大きくなる。したがって、図２０および図２１に示す書き込みパターンをそのまま用いた場合、パネルへの充放電電力が増大するため、消費電力が大きくなり、データ駆動回路６の温度が上昇することになる。
【０１２１】
一方、本実施の形態では、この時、温度推定器４からの出力である温度推定値ＴＥが大きくなり、画像信号制御器１ｂにおいて、下側に隣接した画素と比較されて、値の大きな画素の場合、サブフィールド画像データの下位２ビットが置換され、置換によって生じた差がさらに下側に加算される。すなわち、図１９に示すサブフィールド画像データＳＢが画像信号制御器１ｂへ入力された場合、図２２に示すサブフィールド画像データに変換される。この画面の平均輝度は、７．９となり、図１９に示す元の市松パターンとほぼ同じ明るさを表現できる。
【０１２２】
これは、画像信号制御器１ｂの以下のような働きによる。まず、Ｒ１，Ｇ１，Ｂ１の画素においては、ライン１のデータ（値３）はライン２（値１２）のデータの値と比較され、ライン１の方が小さいためそのまま３が出力される。次に、ライン２のデータ（値１２）はライン３（値３）のデータと比較され、ライン２の方が大きいためライン２の下位２ビットがライン３の下位２ビットに置換され、１５が出力される。このとき、ライン２の元の値１２との差３を補正するために−３がライン４へ加算される。よって、ライン４（元の値１２）の値は１２−３で９となる。次に、ライン３（値３）のデータはライン４のデータ（値９）と比較され、ライン３の方が小さいためそのまま３が出力される。次に、ライン４のデータ（値９）はライン５（値３）のデータと比較されライン４の方が大きいためライン４の下位２ビットがライン５の下位２ビットに置換され１１が出力される。ライン５下側に比較されるラインがないため、そのまま３が出力される。
【０１２３】
また、Ｒ２，Ｇ２，Ｂ２の画素においては、ライン１のデータ（値１２）はライン２（値３）のデータの値と比較され、ライン１の方が大きいためライン１の下位２ビットがライン２の下位２ビットに置換され、１５が出力される。このとき、ライン１の元の値１２との差３を補正するために−３がライン３へ加算される。よって、ライン３（元の値１２）の値は１２−３で９となる。次に、ライン２（値３）のデータはライン３のデータ（値９）と比較され、ライン２の方が小さいためそのまま３が出力される。次に、ライン３のデータ（値９）はライン４（値３）のデータと比較されライン３の方が大きいためライン３の下位２ビットがライン４の下位２ビットに置換され１１が出力される。次に、ライン４（値３）のデータはライン５のデータ（値１２）と比較され、ライン４の方が小さいためそのまま３が出力される。ライン５下側に比較されるラインがないため、そのまま１２が出力される。
【０１２４】
この例の場合、置換されたことによるもとのデータのとの差を補正する値が加算器１１ｂで下側のラインに加算されている。このため、置換による明るさの誤差を周辺の画素で正確に補正することができる。また、この例では、サブフィールドの重み付けが２のべき乗となっているので、置換された値の誤差をそのまま加算しているが、サブフィールドの重み付けが２のべき乗でなくてもよく、また置換による誤差を補正する値も必ずしも正確でなくてもよい。おおむね近い値で、置換された値ともとの値の差に対応した値を補正するのであれば、置換による明るさの誤差を周辺の画素で補正する効果を十分得ることができる。
【０１２５】
図２２に示すサブフィールド画像データをパネルに表示する場合、サブフィールドＳＦ１、ＳＦ２の書き込みパターンは、図２３に示すパターンとなり、サブフィールドＳＦ３の書き込みパターンは図２４に示すパターンとなり、サブフィールドＳＦ４の書き込みパターンは図２５に示すパターンとなる。すなわち、サブフィールドＳＦ１、ＳＦ２では、全ての放電セルが点灯されて書き込みパルスの電圧変化の回数がなくなり、サブフィールドＳＦ３においても元の市松模様の書き込みパターンと比較すると書き込みパルスの電圧変化の回数が少なくなっている。したがって、全てのサブフィールドでの電圧変化の回数の合計が少なくなるので、パネルへの充放電電力が減少し、データ駆動回路６の消費電力が小さくなり、データ駆動回路６の温度上昇を抑制することができる。
【０１２６】
また、温度推定値ＴＥによって、置換するサブフィールド画像データＳＢのビット数を制御することによって、データ駆動回路６の温度上昇をよりきめ細やかに抑制することができる。たとえば、温度推定値ＴＥが小さい場合は、置換するビット数を０ビットとして、温度推定値ＴＥがある程度大きい場合は、置換するビット数を１ビットとして、さらに温度推定値ＴＥが大きくなった場合は、置換するビット数を２ビットとして、温度推定値ＴＥが極めて大きくなった時に置換するビット数を３ビットとすることにより、データ駆動回路６の温度上昇をよりきめ細やかに抑制することができる。
【０１２７】
このように、本実施の形態では、画像信号からデータ駆動回路６の温度に対応する温度推定値ＴＥを推定しているので、温度センサーを設けることなく、データ駆動回路６の温度を求めることができるとともに、温度推定値ＴＥに応じて周辺の画素間でサブフィールド画像データの一部分を同一化しているので、許容損失の大きい高コストのデータドライバＬＳＩを用いることなく、温度上昇によるデータ駆動回路６の破壊を防止することができる。
【０１２８】
また、本実施の形態と実施の形態１を組み合わせて、各ブロックごとに温度推定値ＴＥｎを求めてもよく、また、各ブロックごとの温度推定値によって、各ブロックごとに置換するビット数を変えてもよい。そのようにすることで、複数のデータドライバＬＳＩの内の各データドライバＬＳＩの温度上昇を抑制し、データドライバＬＳＩを個別に温度上昇による破壊から保護することができる。
【０１２９】
【発明の効果】
本発明によれば、画像信号から駆動手段の温度に対応する温度推定値を推定しているので、温度検出手段を設けることなく、駆動手段の温度を求めることができるとともに、温度推定値に応じて駆動手段の温度上昇を抑制するように画像信号が変換されるので、許容損失の大きい高コストの駆動手段を用いることなく、温度上昇による駆動手段の破壊を防止することができる。この結果、温度検出手段を設けることなく、低コストで温度上昇による駆動手段の破壊を防止することができる。
【図面の簡単な説明】
【図１】  本発明の参考形態によるプラズマディスプレイ装置の構成を示すブロック図
【図２】  図１に示す温度推定器の構成を示すブロック図
【図３】  図２に示す周辺画素間演算回路および加算回路による演算処理を説明するための模式図
【図４】  ＡＤＳ方式における各サブフィールドの書き込み期間での演算結果の一例を示す図
【図５】  図２に示す周辺画素間演算回路および加算回路による他の演算処理を説明するための模式図
【図６】  ＡＤＳ方式における各サブフィールドの書き込み期間での演算結果の他の例を示す図
【図７】  図２に示す温度推定回路の構成を示すブロック図
【図８】  図１に示す画像信号制御器の構成を示すブロック図
【図９】  プラズマディスプレイパネルに表示される画像の一例を示す図
【図１０】  図９に示す画像を表示するための各サブフィールドにおける書き込みパターンを示す図
【図１１】  図１に示すプラズマディスプレイパネルに表示される画像の一例を示す図
【図１２】  図１１に示す画像を表示するためのサブフィールドＳＦ１〜ＳＦ３における書き込みパターンを示す図
【図１３】  図１１に示す画像を表示するためのサブフィールドＳＦ４における書き込みパターンを示す図
【図１４】  本発明の第１の実施の形態によるプラズマディスプレイ装置の構成を示すブロック図
【図１５】  図１４に示す温度推定器の構成を示すブロック図
【図１６】  温度推定器の他の例の構成を示すブロック図
【図１７】  本発明の第２の実施の形態によるプラズマディスプレイ装置の構成を示すブロック図
【図１８】  図１７に示す画像信号制御器の構成を示すブロック図
【図１９】  プラズマディスプレイパネルに表示される他の画像の一例を示す図
【図２０】  図１９に示す画像を表示するためのサブフィールドＳＦ１,ＳＦ２における書き込みパターンを示す図
【図２１】  図１９に示す画像を表示するためのサブフィールドＳＦ３,ＳＦ４における書き込みパターンを示す図
【図２２】  図１９に示すプラズマディスプレイパネルに表示される画像の一例を示す図
【図２３】  図２２に示す画像を表示するためのサブフィールドＳＦ１〜ＳＦ２における書き込みパターンを示す図
【図２４】  図２２に示す画像を表示するためのサブフィールドＳＦ３における書き込みパターンを示す図
【図２５】  図２２に示す画像を表示するためのサブフィールドＳＦ４における書き込みパターンを示す図
【図１】
0004660036.tif 000002
【図２】
0004660036.tif 000003
【図３】
0004660036.tif 000004
【図４】
0004660036.tif 000005
【図５】
0004660036.tif 000006
【図６】
0004660036.tif 000007
【図７】
0004660036.tif 000008
【図８】
0004660036.tif 000009
【図９】
0004660036.tif 000010
【図１０】
0004660036.tif 000011
【図１１】
0004660036.tif 000012
【図１２】
0004660036.tif 000013
【図１３】
0004660036.tif 000014
【図１４】
0004660036.tif 000015
【図１５】
0004660036.tif 000016
【図１６】
0004660036.tif 000017
【図１７】
0004660036.tif 000018
【図１８】
0004660036.tif 000019
【図１９】
0004660036.tif 000020
【図２０】
0004660036.tif 000021
【図２１】
0004660036.tif 000022
【図２２】
0004660036.tif 000023
【図２３】
0004660036.tif 000024
【図２４】
0004660036.tif 000025
【図２５】
0004660036.tif 000026